(57)【要約】【課題】ユーザーの足または脚における負傷の発現を著しく低減し又はなくすことができ、かつ快適に使用することができるスポーツシューズを提供すること。【解決手段】ソール（２）の接地面（８）は第１サポート部分（３１）を有し、第１サポート部分は、側方縁（６）から内側縁（７）に至るまで前端（５）に沿って延びる第１区分（３２）と、第１区分から後端（４）の方向に、かつ側方縁から中足骨ゾーン（２３）内の内側縁の方向に延びる第２区分（３３）とを備える。接地面は、第１サポート部分の第１区分（３２）から後端（４）の方向に、かつ第１サポート部分の第２区分（３３）から中足骨ゾーン（２３）内の内側縁の方向に延びる第２サポート部分（３４）を有する。第１サポート部分の平均摩擦係数は第２サポート部分の平均摩擦係数よりも大きい。【選択図】図２
2012228516.tif 000002
【特許請求の範囲】
【請求項１】
ラケット競技を行うためのスポーツシューズ（１）であって、アウトソール（２）とアッパー部（３）を備え、前記アウトソール（２）は、後端（４）から前端（５）までの長さと、側方縁（６）と内側縁（７）との間の距離の幅と、接地面（８）と結合面（９）との間の距離の高さを有し、前記アウトソール（２）は、前記後端（４）から前記前端（５）までの間に、リアゾーン（２１）、センターゾーン（２２）、中足骨ゾーン（２３）、及びフロントゾーン（２４）を有し、
前記接地面（８）が第１サポート部分（３１）を有し、前記第１サポート部分（３１）は、前記側方縁（６）から前記フロントゾーン（２４）内の前記内側縁（７）に至るまで前記前端（５）に沿って延在する第１区分（３２）と、前記第１区分（３２）から前記後端（４）の方向に、かつ前記側方縁（６）から前記中足骨ゾーン（２３）内の前記内側縁（７）の方向に延在する第２区分（３３）を備え、前記接地面（８）が、前記第１サポート部分（３１）の前記第１区分（３２）から前記後端（４）の方向に、かつ前記第１サポート部分（３１）の前記第２区分（３３）から前記中足骨ゾーン（２３）内の前記内側縁（７）の方向に延在する第２サポート部分（３４）を有し、前記第１サポート部分（３１）の平均摩擦係数が前記第２サポート部分（３４）の平均摩擦係数よりも大きいことを特徴とするシューズ（１）。
【請求項２】
前記第２サポート部分（３４）が前記第１サポート部分（３１）の前記第２区分（３３）から前記内側縁（７）の方向に延びることを特徴とする、請求項１に記載のシューズ（１）。
【請求項３】
前記第１サポート部分（３１）および前記第２サポート部分（３４）が両者で前記フロントゾーン（２４）および前記中足骨ゾーン（２３）を覆うことを特徴とする、請求項１または２に記載のシューズ（１）。
【請求項４】
前記第１サポート部分（３１）の前記第１区分（３２）が、前記前端（５）から前記後端（４）の方向に前記シューズの長さの１０％乃至２５％の距離で延在していることを特徴とする、請求項１乃至３のいずれか１項に記載のシューズ（１）。
【請求項５】
前記第１サポート部分（３１）の前記第２区分（３３）は前記シューズの幅の１０％乃至３５％の距離で横方向に延在することを特徴とする、請求項１乃至４のいずれか１項に記載のシューズ（１）。
【請求項６】
前記第１サポート部分（３１）が前記第２サポート部分（３４）と同じ高さであることを特徴とする、請求項１乃至５のいずれか１項に記載のシューズ（１）。
【請求項７】
前記接地面（８）が、前記リアゾーン（２１）内の前記側方縁（６）に沿って延在する第３サポート部分（４１）を含み、前記接地面（８）が、前記第３サポート部分（４１）から前記リアゾーン（２１）内の前記内側縁（７）の方向に延在する第４サポート部分（４２）を含み、前記第３サポート部分（４１）の平均摩擦係数が前記第４サポート部分（４２）の平均摩擦係数よりも大きいことを特徴とする、請求項１乃至６のいずれか１項に記載のシューズ（１）。
【請求項８】
前記第４サポート部分（４２）が前記第３サポート部分（４１）から前記内側縁（７）まで延びることを特徴とする、請求項７に記載のシューズ（１）。
【請求項９】
前記第３サポート部分（４１）が前記シューズの幅の１０％乃至４５％の距離で横方向に延在することを特徴とする、請求項７または８に記載のシューズ（１）。
【請求項１０】
前記センターゾーン（２２）において前記接地面（８）が凹面であることを特徴とする、請求項１乃至９のいずれか１項に記載のシューズ（１）。
【請求項１１】
前記サポート部分（３１、３４、４１、４２）のうちの少なくとも１つが合成樹脂材の層で作製されることを特徴とする、請求項１乃至１０のいずれか１項に記載のシューズ（１）。
【請求項１２】
各サポート部分が、前記側方縁（６）または前記内側縁（７）に沿って延在していることを特徴とする、請求項１１に記載のシューズ（１）。
【請求項１３】
前記第２サポート部分（３４）が前記第１サポート部分（３１）に比べて突き出ていることを特徴とする、請求項１乃至１１のいずれか１項に記載のシューズ（１）。
【請求項１４】
前記第１サポート部分（３１）が前記第２サポート部分（３４）に比べて突き出ていることを特徴とする、請求項１乃至１１のいずれか１項に記載のシューズ（１）。
【請求項１５】
前記第２サポート部分（３４）が前記内側縁（７）における前記アッパー部（３）側に延びていることを特徴とする、請求項１乃至１１のいずれか１項に記載のシューズ（１）。
【請求項１６】
前記第１サポート部分（３１）が前記側方縁（６）における前記アッパー部（３）側に延びていることを特徴とする、請求項１乃至１１のいずれか１項に記載のシューズ（１）。
【請求項１７】
前記第１サポート部分（３１）が、前記前端（５）、前記側方縁（６）、前記後端（４）および前記内側縁（７）に沿って前記接地面（８）のほぼ全周にわたって延び、前記第２サポート部分（３４）が、前記第１サポート部分（３１）で形成される部分の内側で長手方向に延在していることを特徴とする、請求項１に記載のシューズ（１）。
【請求項１８】
前記第１サポート部分（３１）が、前記第１区分（３２）から前記後端（４）の方向に、かつ前記内側縁（７）から前記側方縁（６）の方向に延在する第３区分（３８）を備え、前記側方縁（６）および前記リアゾーン（２１）内の前記後端（４）に沿って延在する第３サポート部分（４１）を更に備え、前記第２サポート部分（３４）が前記第１サポート部分（３１）から前記第３サポート部分（４１）まで長手方向に延在することを特徴とする、請求項１に記載のシューズ（１）。
【請求項１９】
前記アウトソール（２）が、前記接地面（８）を画定する摩耗層（４５）と、前記結合面（９）から前記摩耗層まで延在しかつ前記摩耗層を横断するように延びている合成樹脂材層（４６）を備え、前記第２サポート部分（３４）内において前記摩耗層（４５）の切欠き部（４７）が設けられていることを特徴とする、請求項１に記載のシューズ（１）。
【請求項２０】
前記接地面（８）が前記リアゾーン（２１）内の前記側方縁（６）に沿って延在する第３サポート部分（４１）を有し、前記接地面（８）が前記第３サポート部分（４１）から前記リアゾーン（２１）内の前記内側縁（７）の方向に延在する第４サポート部分（４２）を有し、前記第４サポート部分（４２）内において前記摩耗層（４５）の切欠き部（４７）が設けられていることを特徴とする、請求項１９に記載のシューズ（１）。
【請求項２１】
前記第２サポート部分（３４）が、前記リアゾーン（２１）の長さの６０％以下の値の長さで、前記リアゾーン（２１）内を長手方向に延在することを特徴とする、請求項１７に記載のシューズ（１）。
【請求項２２】
前記第２サポート部分（３４）が、前記中足骨ゾーン（２３）と前記フロントゾーン（２４）との境界において横方向の幅の減少部（５１）を有することを特徴とする、請求項１７または２１に記載のシューズ（１）。
【請求項２３】
前記第２サポート部分（３４）が分割されていることを特徴とする、請求項１７に記載のシューズ（１）。
【請求項２４】
前記第２サポート部分（３４）が、前記フロントゾーン（２４）に画成されているフロント部分、及び前記中足骨ゾーン（２３）に画成されている後部部分（５６）を備えることを特徴とする、請求項２３に記載のシューズ（１）。
【発明の詳細な説明】
【技術分野】
【０００１】
本発明は、スポーツシューズに関し、特にラケット競技を行うためのスポーツシューズに関する。
【背景技術】
【０００２】
これらのシューズは、テニス、バドミントン、スカッシュ等の分野、その他の分野で使用することができる。
【０００３】
このタイプのシューズは、アウトソールと、通常は柔軟性を有するアッパー部とを備え、アッパー部は通常は低い。地面との接触のためにアウトソールが設けてある。
【０００４】
既知のように、アウトソールの長さは後端から前端までであり、幅は側方縁と内側縁との間の距離であり、高さは、地面を踏みつけるようになされている接地面と、アッパー部に連結するようになされている結合面との間の距離である。
【０００５】
アウトソールは地面と協動するシューズの部分を成すので、多数の負荷が存在するところである。アウトソールは特に、ユーザーから発せられる推進力、または地面から発せられる反力を伝達する。接触面をこれらの負荷に適合させる必要があるのはこの理由による。これらの負荷は特に、地面および行うスポーツに応じて性質が変化する強い応力である。応力は、非常に変化する速度および加速度または減速度で行われるユーザーの運動によって生じる。これらの運動は、始動、制動、スリップ、着地または再着地、さらには突然の方向転換に由来するものである。
【０００６】
たとえばあらゆる方向に短い距離をきわめて頻繁に移動しなければならないテニスの分野においてこれが該当する。これらの移動によりユーザーは高い頻度で繰り返し加速および減速を行うことが必要になる。したがって接地面は強い応力を多数回受ける。接地面は加速時のみならず特に制動時、摩擦による摩耗応力を受けるようになる。実際、特にボールを打つ態勢をとる際に、ユーザーは特にクレーコートでは地面上でアウトソールをスリップさせる。
【０００７】
先行技術では、シューズ、特にアウトソールに加えられる応力が勘案されている。
【０００８】
特に、接地面が高い摩耗強度を有する必要があるテニスの分野ではこのことが言える。こうしてシューズの寿命は長くなり、ユーザーは強い加速を行ったり、強い制動を行ったりすることができる。これによりユーザーはすばやく移動したり、ボールを打つ際に所望の位置に正確につくことが可能になる。
【０００９】
既知のテニスシューズは全体としてはユーザーのニーズに応えてはいるものの、いくつかの問題を有している。
【００１０】
まず相当数のユーザーが特にシューズを通じて伝わってくる応力の強さを原因とする負傷、外傷を受ける。
【００１１】
この現象と同時に、特に合成材、コンクリート、さらにはタールを材質とするハードコートにおいては、足および脚の快適性を満足させることができない。一方、クレーコートではより柔軟な地面が実現される。したがって従来のシューズはクレーコートには適しているものの、硬い材質のコートにはあまり適してはいないと言える。
【００１２】
また、全体的構造に関するシューズの劣化、すなわち、とりわけ端部においてアッパー部が時々ソール部から外れるという現象も見られた。
【００１３】
またユーザーのエネルギー効率が最適ではないこともわかった。ユーザーはゲームの速さに合わせるために多くのエネルギーを消費しなければならない。実際、ラケットおよびボールの分野で実現された進歩により競技速度が上昇した。その結果、ユーザーはよりすばやく移動しなければならなくなるが、従来のシューズではそれを実現することが困難である。改良が提案されたのはこのような理由による。
【００１４】
たとえば文献ＦＲ２９１２０３８号によれば、シューズのソールの接地面、すなわち地面を踏みつけるようになされている面は２つのサポート部分を有する。そのうちの１つは内側縁のグリップを促進し、他方は側方縁のスリップ運動を促進する。実際には、横方向における接地面のグリップを変更することである。
【００１５】
文献ＦＲ２９１２０３８号によるシューズは、摩耗およびグリップの問題を解消することを主なねらいとしている。このシューズは従来のシューズの使用時に見られたいくつかの有害な影響を低減はしたものの、著しい進歩をもたらしてはいない。
【００１６】
これに対し本発明は一般的にラケット競技またはその他の競技を行うためのシューズを改良することを目的とする。
【先行技術文献】
【特許文献】
【００１７】
【特許文献１】フランス国特許第２９１２０３８号
【発明の概要】
【発明が解決しようとする課題】
【００１８】
本発明の目的は、ユーザーの足または脚における負傷の発現を著しく低減し、さらにはなくすことである。
【００１９】
本発明の目的はまた、シューズの使用をより快適にすることである。特にテニスシューズに関してはハードコートにおいてクレーコートの快適さを再現することも目的とする。
【００２０】
本発明の別の目的は、シューズの不意の劣化を著しく低減、さらには防止することである。本発明は特にアウトソールからのアッパー部のあらゆる外れを防止することを目的とする。
【００２１】
本発明のさらに別の目的は、ユーザーが新しい材料に適合し、特にその競技速度を上げることができるようにすることである。
【課題を解決するための手段】
【００２２】
これを行うため、本発明は、特にラケット競技を行うためのスポーツシューズにおいて、アウトソールとアッパー部を備えるシューズであって、アウトソールの長さが後端から前端までであり、幅が側方縁と内側縁との間の距離であり、高さが接地面と結合面との間の距離であり、アウトソールが、後端から前端までの間に、リアゾーン、センターゾーン、中足骨ゾーン、さらにフロントゾーンを有するシューズを提供する。
【００２３】
本発明によるシューズは、接地面が第１サポート部分を有し、第１サポート部分が、側方縁からフロントゾーン内の内側縁に至るまで前端に沿って延在する第１区分と、第１区分から後端の方向に、かつ側方縁から中足骨ゾーン内の内側縁の方向に延在する第２区分とを備え、接地面がまた、第１サポート部分の第１区分から後端の方向に、かつ第１サポート部分の第２区分から中足骨ゾーン内の内側縁の方向に延在する第２サポート部分を有し、第１サポート部分の平均摩擦係数が第２サポート部分の平均摩擦係数よりも大きいことを特徴とする。
【００２４】
第１サポート部分はユーザーのつま先および足中骨の側部において延在する。加速に伴う応力の大部分が伝達されるのは足のこの部位である。実際、ユーザーは自身の反応においてより敏速になろうとして踵を上げる。したがって、制動時に純粋にサポートを得るために足がより平坦になる時に第２サポート部分は効果的である。実際には、第１および第２サポート部分は相互補完的である。第１サポート部分のグリップがより高いことにより、アウトソールには加速するための応力伝達性が付与される。第２サポート部分のグリップが低いこと、さらにはそのスリップ性能により、地面上でシューズがより平坦になっている時にはソールはスリップすることができる。そのような状況は移動の最後の制動時またはスリップ時に発生する。第２サポート部分がスリップできることからユーザーは制動を予測することができる。このことはつまり、ユーザーがより早めに制動してスリップするということであり、このスリップは従来のシューズを使用した場合に発生するスリップよりも明らかに長くなる。本発明のシューズを使用した場合、ユーザーは制動に伴うスリップの間、安定した状況にある。それはある意味、自身の姿勢を制御しながら進むスキーヤーのようなものである。結果としてユーザーは制動中にボールを打つことができる。ユーザーは、先行技術によるシューズを使用した場合に発生していた状況とは異なり、打球する際に停止するのを待つ必要がなくなる。その結果ユーザーは競技速度を上げることができ、そのことは１つのアドバンテージとなる。
【００２５】
この種のシューズを使用した場合、ユーザーはハードコート上でクレーコートの感触および効果を得る。ユーザーが受ける負傷は少なくなる。
【００２６】
またスリップ時間が長いと制動時間が増加することもわかる。したがって足または脚に加えられる負荷は少なくなるが、それはより長い時間で散逸されるからである。このことから得られる長所は、ユーザーの足または脚における負傷が著しく低減されること、さらには皆無になることである。
【００２７】
また本発明によりシューズの使用がより快適になることがわかる。事実、スリップ性能により、シューズは、通常はクレーコートで得られる感覚、つまりクレーコートで得られる快適性をハードコートにおいて提供できるようになる。
【００２８】
さらに、有利には、シューズの不意の劣化が軽減され、さらには皆無になることが認められる。具体的には、応力が低減されるのでアッパー部はアウトソールに固定された状態を保つ。次の長所はシューズが軽量であることである。事実、特に横方向の力に対するシューズの強度を確保するためにシューズを補強する必要、すなわちシューズを重量化する必要はなくなった。
【００２９】
最後に、先行技術によって提供されたシューズは本発明により全体的に改良された。
【００３０】
本発明のその他の特徴および長所は、非限定的実施形態による本発明の実施方法を図示する添付の図面を参照して行う以下の説明により、より良く理解されよう。
【図面の簡単な説明】
【００３１】
【図１】本発明に関して提案する第１の実施形態によるシューズのアッパー側の前方斜視図である。
【図２】図１のシューズの下面図である。
【図３】図２のＩＩＩ−ＩＩＩによる断面図である。
【図４】本発明の第２の実施形態についての図３と同様の断面図である。
【図５】本発明の第３の実施形態についての図３と同様の断面図である。
【図６】本発明の第４の実施形態についての図３と同様の断面図である。
【図７】本発明の第５の実施形態についての図３と同様の断面図である。
【図８】本発明の第６の実施形態についての図３と同様の断面図である。
【図９】本発明の第７の実施形態についての図２と同様の下面図である。
【図１０】本発明の第８の実施形態についての図２と同様の下面図である。
【図１１】本発明の第９の実施形態についての図２と同様の下面図である。
【図１２】図１１のＸＩＩ−ＸＩＩによる断面図である。
【図１３】本発明の第１０の実施形態についての図２と同様の下面図である。
【図１４】本発明の第１１の実施形態についての図２と同様の下面図である。
【図１５】本発明の第１２の実施形態についての図２と同様の下面図である。
【発明を実施するための形態】
【００３２】
以下に記述する本願発明の実施形態は、テニスなどのラケット競技を行うためのシューズに関する。しかしながら、本発明は、同じスリップのニーズが求められる限り、他の分野に適用することができる。
【００３３】
以下、図１乃至図３を使用して第１の実施形態について記載する。
【００３４】
ユーザーの足を収納するためにテニスシューズが用意される。
【００３５】
既知のようにシューズ１はアウトソール２およびアッパー部３を備える。シューズ１のアウトソールのサイズとしては、その長さは後端すなわちヒール４から前端すなわちトゥ５までであり、幅は側方縁６と内側縁７との間の距離である。その結果、当然ながら、アウトソール２の長さはヒール４からトゥ５までとなり、幅は側方縁６と内側縁７との間の距離となることが認められる。またソール２の高さすなわち厚さは、接地面８と結合面９との間の距離であり、後者は場合によっては緩衝層４６を伴う。接地面８は地面に触れるように構成されていることは言うまでもない。一方、結合面９は、たとえば接着によりソール２をシューズの残りの部分に固定するのに用いられる。
【００３６】
図示するように、アッパー部３は、上部を除く足を取り囲むようになっている下部１０を備える。しかしながら、下部も上部も含むアッパー部を設けることも可能である。なおシューズ１はアッパー部３の可逆締め付け具１２を具備することに留意されたい。この締め付け具１２は当業者にはきわめてよく知られているものであるため、ここでは詳細に記述することはしない。
【００３７】
シューズについての説明を容易にする目的から、アウトソール２は連続する４つのゾーンを有することを詳細情報として記しておく。ソール２は、後端４から前端５までの間に、後端４から足の踵付近に至るリアゾーン２１と、そこからアーチ付近に至るセンターゾーン２２と、そこから中足骨付近に至る中足骨ゾーン２３と、そこからつま先付近に至るフロントゾーン２４とを有する。
【００３８】
本発明によれば、特に図２に示すように、接地面８は第１サポート部分３１を有し、この第１サポート部分３１は、側方縁（６）からフロントゾーン（２４）内の内側縁（７）に至るまで前端（５）に沿って所定の幅で延在する第１区分３２と、第１区分３２から後端４の方向に、かつ側方縁６から中足骨ゾーン２３内の内側縁７の方向に所定の幅で延在する第２区分３３を備えている。  接地面８はまた、第１サポート部分３１の第１区分３２から後端４の方向に、かつ第１サポート部分３１の第２区分３３から中足骨ゾーン２３内の内側縁７の方向に延在する第２サポート部分３４を有する。足の略先端側に位置する第１サポート部分３１の平均摩擦係数は、該第１サポート部分よりも足の略土踏まず側に位置する第２サポート部分３４の平均摩擦係数よりも大きい。
【００３９】
この配置により、接地面８は、つま先ならびに中足骨の側方部分において十分に高い摩擦係数を有することができる。なお比較までに、接地面８の摩擦係数は中足骨の内側縁部分３４において著しく低い。これにより、加速するのに必要な高いグリップならびに制動するための滑り性がアウトソール２に付与される。事実、加速の場合には第１サポート部分３１に強い力がかかり、制動の場合には第２サポート部分３４に強い力がかかることがわかった。
【００４０】
第１の実施形態によれば、接地面８の第２サポート部分３４は、第１サポート部分３１の第２区分３３から内側縁７まで延在するが、それに限定されるものではない。接地面８の摩擦係数が低くなるところで中足骨の内側縁部分が着地するのはこの理由による。それにより、足が前部で平坦接地する際のクレーコート地面上でのシューズのスリップが容易になる。毎回のスリップ毎にエネルギーが散逸され、それによりユーザーの脚内の応力が低減される。
【００４１】
第１サポート部分３１および第２サポート部分３４は両者でフロントゾーン２４および中足骨ゾーン２３を覆うものとされる。実際、これら２つのゾーンは、動きの際に最も変形する足の部分に対向した態様で延在する。踏ん張りの主要部分を制御するのは足のこの部分である。２つのサポート部分３１、３４をフロントゾーン２４および中足骨ゾーン２３内に配置したことにより、特にテニスコートがハードコートを有する場合におけるテニスコート上の移動に関連する加速および制動の制御が促進される。
【００４２】
たとえば、第１サポート部分３１の第１区分３２は、前端５から後端４の方向にシューズの長さの１０％乃至２５％の距離で延在するようになっている。これによりソール２はつま先の付近において地面によくグリップすることとなり、把持力を有することとなる。
【００４３】
また、第１サポート部分３１の第２区分３３はシューズの幅の１０％乃至３５％の距離で横方向に延在する。その結果、少なくとも片方の足については前方の踏ん張りが横方向に偏移するので、ユーザーは加速する際またはスマッシュを打つ際のグリップを得ることができる。
【００４４】
グリップ力がより高い第１サポート部分３１について同等の摩擦係数を有するゴムまたは材料を使用し、第２サポート部分３４については、摩擦係数が低いポリウレタン、ポリアミド、ポリエチレン、ＥＶＡなどの材料を使用することにより良好な結果が得られた。この第２サポート部分３４については、この部分のグリップ(把持力)を少なくする、すなわちスリップ（すべり力）を増加させるようになされた他の材料を加えたゴムであってもよい。たとえば微小ガラス球をゴムに加えることができる。
【００４５】
第１サポート部分３１を構成する材料の摩擦係数を０．５乃至２にし、第２サポート部分３４を構成する材料の摩擦係数を０．２乃至０．７にすることにより良好な結果が得られた。値の範囲は一部分しか重なっていないが、２つのサポート部分３１、３４それぞれについての摩擦係数の選択は、最も高い摩擦係数を最も低い摩擦係数で割った値が２．５乃至１０になるような比率であるが、それに限定されるものではない。たとえば第２サポート部分３４の摩擦係数が０．２であるとすると、第１サポート部分３１の摩擦係数は０．５乃至２である。さらに、第２サポート部分３４の摩擦係数が０．７であるとすると、第１サポート部分３１の摩擦係数は１．７５乃至２である。これらの値は例として示したものであり、その他の組み合せも可能である。
【００４６】
それぞれの部分の摩擦係数の組み合せはシューズのアウトソールの全体としての包括的摩擦係数に影響を及ぼす。この包括的摩擦係数はたとえば規格ＥＮ１３２８７に準拠して測定することができるが、この規格はその一般的な原理において、たとえばセラミックまたはステンレスで構成された平坦な基準表面にシューズを置くことから成る。したがってアウトソールの接地面８は、測定を行うための基準面と接触している。上で示した摩擦係数の組み合せは大部分の場合、０．４５乃至０．８の包括的摩擦係数の値に相当する。
【００４７】
図３においては、第１サポート部分３１は第２サポート部分３４と同じ高さであることがわかる。これらの部分は双方とも同一面内で延びている。それにより、少なくともフロントゾーン２４および中足骨ゾーン２３内において、より一様な表面が接地面８に付与される。その結果、グリップ状態からスリップ状態への移行が漸進的に行われる。このことはユーザーの疲労の低減に寄与する。
【００４８】
更に、図２に示された実施例においては、接地面８が、リアゾーン２１内の側方縁６に沿って延在する第３サポート部分４１を含み、接地面８が、第３サポート部分４１からリアゾーン２１内の内側縁７の方向に延在する第４サポート部分４２を含み、第３サポート部分４１の平均摩擦係数が第４サポート部分４２の平均摩擦係数よりも大きくされている。これにより、リアゾーン２１のレベル、すなわち足の踵付近、におけるソール２のグリップおよびスリップを制御することが可能になる。実際にはこれは前部で得られた応力を補完することである。そこでもやはり、リアゾーン２１内のグリップは側方縁６側で行われ、それによりたとえばスマッシュ時には踵が安定する。
【００４９】
同じく第１の実施形態によれば、第４サポート部分４２は第３サポート部分４１から内側縁７まで延在する。したがってこれらのサポート部分４２、４１は全体でソール２のリアゾーン２１を包含する。したがってユーザーにとっては踵におけるグリップまたはスリップを制御することがより容易になる。
【００５０】
たとえば第３サポート部分４１はシューズの幅の１０％乃至４５％の距離で横方向に延在する。この配置はハードコートにおける制動時の踵のスリップにとって好都合である。
【００５１】
同じく第１の実施形態によれば、ソール２の接地面８のセンターゾーン２２は凹面である。したがって、必然的にリアゾーン２１だけか、中足骨ゾーン２３およびフロントゾーン２４が地面に触れるようになる。この配置はフロントサポートとリアサポートとを明白に分けるものである。
【００５２】
サポート部分３１、３４、４１、４２のうちの少なくとも１つは合成樹脂材料の層で作製されてもよい。
【００５３】
特に図３に関して言えば、限定を意図するものではないが、各サポート部分すなわちサポート層３１、３４、４１、４２は、側方縁６や内側縁７に延びる。その結果、ソール２のグリップまたはスリップ効果は接地面８においてのみ有効である。
【００５４】
他の実施形態を図４乃至図１５により以下に示す。便宜上の理由から、第１の実施形態と共通する要素は同じ符号で示してある。主として、第１の実施形態と相違する部分について述べる。
【００５５】
まず、図４を用いて示したのは第２の実施形態である。実際にはこれは図３と同様な横断面図である。ここでは第２サポート部分３４は第１サポート部分３１より突き出ている。この実施形態により制動時のスリップ力が増大される。この突出量は０．１ｍｍ乃至３ｍｍで良好な結果が得られ、０．３ｍｍ乃至０．８ｍｍの間の突出量の値がより好適である。
【００５６】
一方、図５の第３の実施形態の場合、第１サポート部分３１は第２サポート部分３４より突き出ている。この場合、依然としてスリップは顕著であるが、上述した実施形態で得られるスリップと比較すれば軽減されている。
【００５７】
図６を参照する第４の実施形態に関しては、第２サポート部分３４は内側縁７におけるアッパー部３側に延びる。これにより、ユーザーが脚を曲げた時には有効となることがある効果であるスリップ効果が内側縁７上で得られる。
【００５８】
次に第５の実施形態についての図７を参照すると、側方縁６におけるアッパー部３側に延びるのは第１サポート部分３１である。これにより、たとえばスマッシュを行う、あるいは加速を開始する際に有効な効果であるグリップ効果が側方縁６上で得られる。
【００５９】
図８による第６の実施形態は、内側縁７上にスリップ効果を集中させ、側方縁６上にグリップ効果を集中させる構成を示している。このために、第２サポート部分３４は内側縁７におけるアッパー部３側に延び、第１サポート部分３１は側方縁６におけるアッパー部３側に延びる。
【００６０】
図９に記載の第７の実施形態の場合、第１サポート部分３１は接地面８の全周にわたって延在し、前端５、側方縁６、後端４および内側縁７に沿ってアーチゾーンまで延びることもまた認められる。また第２サポート部分３４は、第１サポート部分３１で形成される部位内のソールのセンターゾーン内を長手方向に延びる。この構造は、平坦な足で地面上で行うスリップに適する。そのような構造をもつシューズは百戦錬磨のプレーヤーに好適である。ここでは第２サポート部分３４は、図２で規定しているリアゾーン２１、センターゾーン２２、中足骨ゾーン２３およびフロントゾーン２４の４つのゾーン内を延び、リアゾーン２１の長さの６０％以上の値だけ、リアゾーン２１内を長さ方向に延びる。フロント及び中足骨ゾーンにおける第１サポート部分３１により、より速くサポートを得て、スリップの終了時に再び始動することができる。第２の実施形態にならって、第１サポート部分３１に対し第２サポート部分３４を突出させる配置を実現することができるが、それは必須ではない。
【００６１】
図１０に記載の第８の実施形態の場合、第１サポート部分３１は、第１区分３２から後端４の方向に延びかつ内側縁７から側方縁６の方向に延びる第３区分３８を備える。シューズはまた、側方縁６およびリアゾーン２１内の後端４に沿って延びる第３サポート部分４１を備え、第２サポート部分３４は第１サポート部分３１から第３サポート部分４１まで長手方向に延在する。この配置により図９に記載の実施形態と比較してスリップ効果が若干増大する。
【００６２】
次に図１１および図１２により第９の実施形態を示す。この場合、アウトソール２は、接地面８を画定する摩耗層４５、ならびに結合面９から摩耗層４５まで延在する合成樹脂材層４６を備え、該合成樹脂材層４６は該摩耗層を横断するようにして延びている。第２サポート部分３４内では摩耗層４５は切り欠かれ、したがって摩耗層は合成樹脂材層４６が露出する切り欠き部４７を有する。摩耗層４５はゴムまたはそれと同等の任意の材料で作製されるが、それに限定されるものではない。一方、合成樹脂材層は、たとえばエチレンビニルアセテートフォームまたはそれと同等の任意の材料で作製される。たとえば、合成樹脂材料層４６は摩耗層の切り欠き部または穴４７に充填されるようになっている。それにより接地面８に均質な表面が付与される。該充填された部分は磨耗層４５と比較して摩擦係数が低いゾーンを画定する。
【００６３】
また、接地面８はリアゾーン２１内の側方縁６に沿って延びる第３サポート部分４１を有する。接地面８は第３サポート部分４１からリアゾーン２１内の内側縁７の方向に延びる第４サポート部分４２を有する。また第４サポート部分４２内では摩耗層４５は切り抜き加工されており、第３サポート部分４１にはより低い摩擦係数が付与される。シューズの後部における製造方法は前部と同じである。
【００６４】
図１３により第１０の実施形態を示す。ここにおいても同様に、第１サポート部分３１は接地面８の全周にわたって延在し、前端５、側方縁６、後端４および内側縁７に沿い、親指の関節部位において面積増大部分３１ａを有する。第２サポート部分３４は、第１サポート部分３１で形成される部分の内側を長手方向に延在する。この実施形態に特有なことは、第２サポート部分３４がリアゾーン２１の長さの６０％以下の値の長さでリアゾーン２１内を長手方向に延びていることである。これにより踵のスリップ性が低下する。他方、第２サポート部分３４は、中足骨ゾーン２３とフロントゾーン２４の境界において、親指の関節のゾーン３１ａのところで横方向の幅の減少部５１を有する。これにより中足骨におけるスリップ性能が低下し、それにより、スリップの終了時に、より優れたサポート力の回復を確保することができる。この実施形態によるシューズは競技レベルがきわめて高い競技者に好適である。
【００６５】
図１４により第１１の実施形態を示す。そこでも同じく第１サポート部分３１は、前端５、側方縁６、後端４および内側縁７に沿って接地面８の全周にわたって延在している。第２サポート部分３４は、第１サポート部分３１で形成される部分の内側を長手方向に延在する。この実施形態に特有なことは、第２サポート部分３４がリアゾーン２１の長さの１５％以下の値だけリアゾーン２１内を長手方向に延びていることである。これにより踵のスリップ性が若干多く低下する。この実施形態によるシューズは中級レベルの競技者に好適である。
【００６６】
図１５により第１２の実施形態を示す。そこでも同じく第１サポート部分３１は、前端５、側方縁６、後端４および内側縁７に沿って接地面８の全周にわたって延在する。この実施形態に特有なことは、第２サポート部分３４が分割されていることである。この第２サポート部分３４は、フロントゾーン２４内に画成されているフロント部分５５、及び中足骨ゾーン２３内に画成されている後部部分５６を備える。フロント部分５５および後部部分５６は、第１サポート部分３１に位置するクロスブリッジ５７により分割される。この実施形態によるシューズは、スリップ能をシューズの前半分に限定するので、上級レベルの競技者に好適である。
【００６７】
いずれの場合も、本発明にかかるシューズは、当業者にとって既知の材料を用いて既知の製造手法により実現されるものである。
【００６８】
もちろん本発明は、上記で説明した実施形態に限定されるものではなく、添付の特許請求の範囲に記載した技術的範囲に入りうるあらゆる同等の技術を含むものである。
【００６９】
尚、上記したサポート部分の形状は変えることができることに留意すべきである。
【００７０】
第１サポート部分３１と第２サポート部分３４を構成する材料とは、それぞれ異なる。
【図１】
2012228516.tif 000003
【図２】
2012228516.tif 000004
【図３】
2012228516.tif 000005
【図４】
2012228516.tif 000006
【図５】
2012228516.tif 000007
【図６】
2012228516.tif 000008
【図７】
2012228516.tif 000009
【図８】
2012228516.tif 000010
【図９】
2012228516.tif 000011
【図１０】
2012228516.tif 000012
【図１１】
2012228516.tif 000013
【図１２】
2012228516.tif 000014
【図１３】
2012228516.tif 000015
【図１４】
2012228516.tif 000016
【図１５】
2012228516.tif 000017